(57)【要約】【課題】エコノマイザ内でボイラ給水が過剰に加熱されることを防止しつつ、エコノマイザでの熱回収量を多くすることのできるように給水量調節を行うボイラを提供する。【解決手段】ボイラ１の運転を制御するボイラ運転制御装置５は、ボイラの蒸発量と、瞬時給水量と、ボイラ内水位に基づいて給水ポンプの運転量を調節するものであり、ボイラの燃焼運転中、給水量が蒸発量よりも少ない値に設定した制御範囲の上限値より大きくなると給水ポンプ２の運転量を１段階低下し、給水量が前記上限値より低い値に設定した制御範囲の下限値より少なくなると給水ポンプ２の運転量を１段階増加するようにしており、ボイラ内水位が水位調節範囲の下限値まで低下すると、給水ポンプ２の運転量を上記より高めてボイラ内水位を上昇させ、ボイラ内水位が前記水位調節範囲の上限値まで上昇すると前記の蒸発量より少ない給水量となるように給水ポンプ２の運転量を調節する。【選択図】図１
2018194287.tif 000002
【特許請求の範囲】
【請求項１】
ボイラ本体とボイラ給水を予熱するエコノマイザを持ったボイラへの給水は給水配管を通じて行っており、給水配管の途中には、ボイラ給水を加圧する給水ポンプと、給水配管内を流れる瞬時通水量を算出する流量計を設置しておき、給水ポンプにはインバータ装置を設置するなどして給水ポンプの運転量を調節することができるようにしたものであって、ボイラ内水位が水位調節範囲の上限値まで上昇したことの検出と、ボイラ内水位が水位調節範囲の下限値より低くなっていることの検出を行えるようにしているボイラにおいて、ボイラの運転を制御するボイラ運転制御装置は、ボイラの蒸発量（燃焼量から算出した必要給水量）と、瞬時給水量と、ボイラ内水位に基づいて給水ポンプの運転量を調節するものであり、ボイラの燃焼運転中、給水量が蒸発量よりも少ない値に設定した制御範囲の上限値より大きくなると給水ポンプの運転量を１段階低下し、給水量が前記上限値より低い値に設定した制御範囲の下限値より少なくなると給水ポンプの運転量を１段階増加するようにしており、上記制御では給水量は蒸発量より常に少ない量となるため、ボイラ内水位が水位調節範囲の下限値まで低下すると、給水ポンプの運転量を上記より高めてボイラ内水位を上昇させ、ボイラ内水位が前記水位調節範囲の上限値まで上昇すると前記の蒸発量より少ない給水量となるように給水ポンプの運転量を調節する給水量調節を行うボイラ。
【請求項２】
請求項１に記載の給水量調節を行うボイラにおいて、給水ポンプの運転量変更を行った際、運転量変更中に通水された量から算出した給水量は前記の給水量制御に使用せず、給水ポンプの運転量変更以降に行われた給水量に基づいて前記の給水量の制御を行うようにしていることを特徴とする給水量調節を行うボイラ。
【請求項３】
請求項１または２に記載の給水量調節を行うボイラにおいて、給水ポンプの運転量変更を行った際、依然として給水量が制御範囲の上限値より大きい、もしくは依然として給水量が制御範囲の下限値より少ない状態が継続していた場合には、給水ポンプの運転量変更を繰り返し行うようにしていることを特徴とする給水量調節を行うボイラ。
【請求項４】
請求項１から３の何れかに記載の給水量調節を行うボイラにおいて、ボイラによる蒸気圧力を検出する蒸気圧力検出装置を設置しておき、給水ポンプの運転を開始する際には、前記蒸気圧力検出装置にて検出した蒸気圧力値に基づき給水ポンプ運転量の開始点を定め、蒸気圧力値に基づいた運転量で給水ポンプの作動を開始した後に、ボイラの蒸発量と給水量の比較による給水量の増減を行うようにしていることを特徴とする給水量調節を行うボイラ。
【発明の詳細な説明】
【技術分野】
【０００１】
本発明は、ボイラへの給水はエコノマイザにて予熱を行ってからボイラ本体内へ供給し、ボイラ内部で更に加熱することで蒸気を発生するようにしているエコノマイザ設置のボイラに関するものであり、より詳しくは、給水ポンプはインバータ装置などによって給水ポンプの運転量を変更することができるようにしており、またボイラでは蒸気圧力値に基づいて燃焼量を増減するようにしたものであって、給水量と蒸発量の比率に基づいて給水量調節を行うボイラに関するものである。
【背景技術】
【０００２】
特開２００３−２４０２０６号公報などにあるように、給水インバータ制御を行うボイラでは、インバータによって給水ポンプへ供給する電源周波数を変更し、給水ポンプの運転量を変更することが行われている。ボイラでの蒸気圧力は、蒸気の発生量と使用量のバランスによって上下し、ボイラへの給水量はボイラ内部の圧力によって変化する。給水ポンプが一定の能力で運転していた場合、ボイラ内圧力が低いと給水量は多くなるが、ボイラ内圧力が高くなると給水量は減少することになる。そのため、給水ポンプの運転量を変更し、ボイラへの給水量を調節することが行われていた。ボイラ内圧力が高い場合、給水ポンプ運転量を大きくすることで給水量の低下を補うことができるようになる。また、ボイラへの給水では、ボイラ内の水位を検出しておき、水位レベルに応じて給水を制御することが行われている。水位レベルによる給水制御では、ボイラ内水位の制御範囲の上限値を給水停止水位、制御範囲の下限値を給水開始水位と設定しておき、水位が給水開始水位まで低下すると給水ポンプの作動を開始してボイラ内水位を上昇させ、給水によって水位が給水停止水位まで上昇すると給水ポンプの作動を停止する。この場合、給水ポンプの発停によってボイラ内の水位は制御範囲内に維持することができる。
【０００３】
また、ボイラではエコノマイザを設置することによって効率を向上させることが広く行われている。エコノマイザはボイラから排出される排ガスの熱によってボイラ給水を予熱するものであり、エコノマイザでの熱の吸収量を多くするほどボイラの効率を向上させることができる。そのため、ボイラ効率の点からはエコノマイザではできるだけ多くの熱を回収することができるようにしておく方がよい。ただし、エコノマイザ内でボイラ水の温度が高くなりすぎて沸騰することになると、エコノマイザ内部の圧力が高くなり、給水制御に問題が出ることがあるため、熱回収量を無闇に増加することはできない。エコノマイザ内ではボイラ給水が流れている状態であれば、ボイラ給水温度が問題となるほどに高まることはないが、ボイラ給水が停止している状態で排ガスによる加熱が続くと、エコノマイザ内に止まっているボイラ給水が加熱され続けて高温になることがあった。そのため、エコノマイザ内でのボイラ給水の温度が過剰に加熱される事は防止する必要があった。
【先行技術文献】
【特許文献】
【０００４】
【特許文献１】特開２００３−２４０２０６号公報
【発明の概要】
【発明が解決しようとする課題】
【０００５】
本発明が解決しようとする課題は、エコノマイザ内でボイラ給水が過剰に加熱されることを防止しつつ、エコノマイザでの熱回収量を多くすることのできるように給水量調節を行うボイラを提供することにある。
【課題を解決するための手段】
【０００６】
請求項１に記載の発明は、ボイラ本体とボイラ給水を予熱するエコノマイザを持ったボイラへの給水は給水配管を通じて行っており、給水配管の途中には、ボイラ給水を加圧する給水ポンプと、給水配管内を流れる瞬時通水量を算出する流量計を設置しておき、給水ポンプにはインバータ装置を設置するなどして給水ポンプの運転量を調節することができるようにしたものであって、ボイラ内水位が水位調節範囲の上限値まで上昇したことの検出と、ボイラ内水位が水位調節範囲の下限値より低くなっていることの検出を行えるようにしているボイラにおいて、ボイラの運転を制御するボイラ運転制御装置は、ボイラの蒸発量（燃焼量から算出した必要給水量）と、瞬時給水量と、ボイラ内水位に基づいて給水ポンプの運転量を調節するものであり、ボイラの燃焼運転中、給水量が蒸発量よりも少ない値に設定した制御範囲の上限値より大きくなると給水ポンプの運転量を１段階低下し、給水量が前記上限値より低い値に設定した制御範囲の下限値より少なくなると給水ポンプの運転量を１段階増加するようにしており、上記制御では給水量は蒸発量より常に少ない量としているため、ボイラ内水位が水位調節範囲の下限値まで低下すると、給水ポンプの運転量を上記より高めてボイラ内水位を上昇させ、ボイラ内水位が前記水位調節範囲の上限値まで上昇すると前記の蒸発量より少ない給水量となるように給水ポンプの運転量を調節することを特徴とする。
【０００７】
請求項２に記載の発明は、前記の給水量調節を行うボイラにおいて、給水ポンプの運転量変更を行った際、運転量変更中に通水された量から算出した給水量は前記の給水量制御に使用せず、給水ポンプの運転量変更以降に行われた給水量に基づいて前記の給水量の制御を行うようにしていることを特徴とする。
【０００８】
請求項３に記載の発明は、前記の給水量調節を行うボイラにおいて、給水ポンプの運転量変更を行った際、依然として給水量が制御範囲の上限値より大きい、もしくは依然として給水量が制御範囲の下限値より少ない状態が継続していた場合には、給水ポンプの運転量変更を繰り返し行うようにしていることを特徴とする。
【０００９】
請求項４に記載の発明は、前記の給水量調節を行うボイラにおいて、ボイラによる蒸気圧力を検出する蒸気圧力検出装置を設置しておき、給水ポンプの運転を開始する際には、前記蒸気圧力検出装置にて検出した蒸気圧力値に基づき給水ポンプ運転量の開始点を定め、蒸気圧力値に基づいた運転量で給水ポンプの作動を開始した後に、ボイラの蒸発量と給水量の比較による給水量の増減を行うようにしていることを特徴とする給水量調節を行うボイラ。
【発明の効果】
【００１０】
本発明を実施することで、ボイラの燃焼運転中はボイラへの給水を行い続けることになり、エコノマイザ内でボイラ水が止まることがなくなるため、エコノマイザ内でボイラ給水が過剰に加熱されることを防止することができる。また、給水量変更時の算出給水量にズレが生じる時期に誤った給水量に基づき給水量の調節を行うことを防止することができる。
【図面の簡単な説明】
【００１１】
【図１】本発明を実施しているボイラのフロー図
【図２】ボイラの燃焼量と給水量の変更状況例を示したタイムチャート
【図３】給水パルスの出力状況と瞬時給水量に基づく給水量調節を行う時間帯の例を示したタイムチャート
【図４】本発明の一実施例での給水開始時蒸気圧力とインバータ周波数の設定例
【発明を実施するための形態】
【００１２】
本発明の一実施例を図面を用いて説明する。図１は本発明を実施しているボイラのフロー図、図２はボイラの燃焼量と給水量の変更状況例を示したタイムチャート、図３は給水パルスの出力状況と瞬時給水量に基づく給水量調節を行う時間帯の例を示したタイムチャートである。ボイラ１の本体部は、多数の垂直な水管などからなる缶体を持つ。ボイラ中心部分は燃焼室とし燃焼室の周囲は環状に並べた水管で取り囲み、水管は上部と下部に設けている管寄せと接続する。燃焼室の上方には燃焼装置を設置しておき、燃焼装置では燃焼室に向けて下向きに火炎を発生する。燃焼室内で燃焼を行い、燃焼による熱を発生させると、火炎からの輻射熱と燃焼ガスを通じて伝えられる対流熱が水管を加熱する。
【００１３】
ボイラ缶体下部の下部管寄せには、ボイラ給水を供給する給水配管６を接続し、ボイラ給水は給水配管６を通して下部管寄せに行う。給水配管６の途中には、エコノマイザ９を設置しておき、ボイラ給水はエコノマイザ９で予熱してボイラ本体部へ供給する。給水配管６のエコノマイザ９より上流側には、ボイラ給水を加圧する給水ポンプ２と、給水配管６内を流れるボイラ給水の瞬時流量を算出するための流量計３などを設置している。
【００１４】
給水配管６を通してボイラ１内に送られたボイラ給水は、ボイラの燃焼装置による燃焼によって加熱され、蒸気を発生する。ボイラの水管内で加熱したボイラ水は、蒸気を発生するとともにボイラ水の沸き上がりが発生するため、ボイラ内での蒸気にはボイラ水が含まれることになる。そのためボイラ本体部と接続した気水分離器７を設けておき、気水分離器７で蒸気とボイラ水を分離して蒸気は気水分離器７の上部から取り出し、ボイラ水は気水分離器７の下部からボイラの下部へ戻すようにしている。
【００１５】
ボイラ内の水位は、気水分離器７に接続している水位検出装置８によって検出する。水位検出装置８は制御水位の上限位置と下限位置で水の有無を検出するための電極棒を設置しておき、水位検出装置８で検出した水位は、ボイラの運転を制御するボイラ運転制御装置５へ出力する。ボイラ運転制御装置５では、水位検出装置８で検出している水位が制御水位内に保たれるように給水を制御する。
【００１６】
またボイラ運転制御装置５では、ボイラ内の圧力に基づいてボイラの燃焼量を制御する。ボイラでの蒸気圧力を検出する蒸気圧力検出装置１０を設置し、蒸気圧力検出装置１０で検出した蒸気圧力値をボイラ運転制御装置５へ出力するようにしておき、ボイラ運転制御装置５はボイラ内圧力が制御範囲内に保たれるように燃焼量を制御する。ボイラでの燃焼量を、１００％燃焼の高燃焼、５０％燃焼の低燃焼、燃焼停止の３位置で制御するものであると、蒸気圧力値が制御範囲の下限値より低くなると、最大の燃焼量である高燃焼を行い、制御範囲内での設定値より高くなると半分の燃焼量である低燃焼、制御範囲の上限値まで上昇すると燃焼を停止する。蒸気圧力値が低くなると燃焼量を大きくして蒸気圧力値が上昇するようにし、蒸気圧力値が高くなると燃焼量を小さくして蒸気圧力値が低下するようにすることで、蒸気圧力値を制御範囲内に保つことができる。
【００１７】
給水ポンプ２は、インバータ装置４によって給水ポンプ回転数を調節することができるようにしておき、ボイラ運転制御装置５にて給水ポンプ２の運転と回転数調節の制御を行う。ボイラの燃焼運転中は、ボイラの蒸発量、流量計３で検出している瞬時給水量、水位検出装置８で検出しているボイラ内水位に基づいて給水量を調節する。ボイラの蒸発量は、ボイラから蒸気として出ていく蒸気量とボイラ水の過濃縮を防止するために排出する濃縮ブロー量を足したものであり、ボイラでの燃焼量に比例する。ボイラ運転制御装置５では、ボイラの燃焼量を検出し、燃焼量に対して一定の係数を掛けることで蒸発量の算出を行う。
【００１８】
ボイラの瞬時給水量は流量計３で算出する。流量計３はボイラ給水が一定量流れる毎にパルス信号を出力するものであり、流量計３でのパルス信号はボイラ運転制御装置５に出力し、ボイラ運転制御装置５で給水量を算出する。ボイラ運転制御装置５では、流量計３で発信するパルス信号の間隔に基づいて瞬時給水量の算出を行う。例えば流量計３ではボイラ給水が１Ｌ流れる毎にパルス信号を出力するものであって、パルス信号の発信間隔が１秒であった場合、給水量は３６００Ｌ／ｈと算出することができる。
【００１９】
ボイラの燃焼運転中、ボイラ運転制御装置５では、流量計３からのパルス信号に基づいて算出した給水量が、燃焼量から算出した蒸発量の０．９倍より大きくなると、インバータ装置４での出力周波数を１段階低下し、給水量が蒸発量の０．７倍より小さくなると、インバータ装置４での出力周波数を１段階増加する。判定値である上記の０．９倍と０．７倍は適宜変更可能であるが、いずれの値も蒸発量の１倍より小さな値、つまり給水量は蒸発量より少なくなるように給水制御を行う。
【００２０】
給水量は蒸発量より少ない値とする上記制御では、給水を行ってもボイラ内の水位は低下することになる。水位検出装置８で検出しているボイラ内水位が制御範囲の下限位置まで低下した、もしくは下限位置よりも低いという場合は、給水量と蒸発量の比率による給水量制御は停止し、給水ポンプ２の定格能力にて給水を行う。給水ポンプ２の定格能力は、ボイラの蒸発量よりも大きなものを設定しており、定格能力で給水を行うとボイラ内の水位は上昇する。水位検出装置８で検出しているボイラ内の水位が制御範囲の上限位置まで上昇すると、給水ポンプ２の定格能力での給水制御を停止し、再び前記の給水量と蒸発量の比率による給水量制御を行う。
【００２１】
この状況を示したのが図２のタイムチャートである。図２の場合、ボイラ燃焼量は１００％燃焼、インバータ周波数は５０Ｈzの状態から始まっている。ボイラ給水量がボイラ蒸発量より少ない場合、ボイラ内水位は低下していく。ボイラ内水位が制御範囲下限まで低下すると、インバータ周波数を６０Ｈzに増加する。６０Ｈzはインバータ装置４によって電源電圧を低下させていない状態、つまり給水ポンプ２は定格能力で運転を行う状態となる。この場合、給水量は蒸発量に比べて十分に大きなものとなっており、ボイラ内水位は急上昇している。給水ポンプの定格能力での給水を行うことで、ボイラ内水位が制御範囲上限まで上昇すると、ボイラ運転制御装置５では給水量を増加する以前の周波数、つまり５０Ｈzに戻している。給水ポンプ２の運転周波数を５０Ｈzとすると、ボイラ内の水位は緩やかに低下していく。
【００２２】
図２ではその後、ボイラの燃焼量を５０％に変更している。燃焼量が１００％から５０％に変更されると、燃焼量に比例する蒸発量も減少する。燃焼量が半分になると、蒸発量も半分になる。給水量が一定である場合に蒸発量が半分になると、給水量は一時的に蒸発量よりも多くなるため、燃焼量の変更直後には、ボイラ内水位が一時的に上昇している。
【００２３】
ボイラ運転制御装置５では、流量計３で算出している給水量が燃焼量から定まる蒸発量の０．９倍より大きくなると、インバータ装置の周波数を１段階低くするため、周波数を５０Ｈzから１段階低速の４８Ｈzに変更する。図２では周波数を１段階低下させた状態では蒸発量と給水量がほぼ釣り合った状態となり、ボイラ内水位はほとんど変化していない状態が現れている。しかし給水量が燃焼量から算出した蒸発量の０．９倍より大きい場合には、インバータ装置４での出力周波数を１段階低下するものであるため、給水量と蒸発量が同じであった場合には給水量をさらに１段階低下させて４６Ｈzとする。
【００２４】
インバータ周波数を４６Ｈzにすると、給水量よりも蒸発量の方が多くなり、ボイラ内の水位は低下している。給水量が蒸発量の０．７倍から０．９倍の範囲内になると、インバータ周波数は現在の値で維持する。給水量を蒸発量の０．７倍から０．９倍とした場合、設定の給水量は蒸発量より少ないため、ボイラ内水位は低下し、水位が制御範囲の下限まで低下すると、インバータ周波数を６０Ｈzとして給水量を増加することでボイラ内の水位を上昇させる。そしてボイラ内水位が制御範囲の上限まで回復すると、先ほどの周波数である４６Ｈzに戻している。
【００２５】
図２では、その後にボイラ燃焼量を１００％に変更している。燃焼量が増加して蒸発量が増加すると、給水量の蒸発量に対する比率はそれまでよりも小さくなる。給水量が蒸発量の０．７倍より小さくなると、インバータ装置４での出力周波数を１段階増加する。図２の場合、インバータ周波数を４６Ｈzから４８Ｈzに増加し、その状態で給水量と蒸発量の比率を再度確認しており、その４８Ｈzでもまだ不足しているとのことで、周波数を５０Ｈzに増加するようにしている。
【００２６】
このようにボイラ給水量は蒸発量より少ない状態を維持し、水位が下限位置まで低下すると給水量を増加して水位を高めることを繰り返すと、ボイラの燃焼中は常に給水が行われていることになる。そのため、ボイラの燃焼中は、エコノマイザ９内ではボイラが常に流れており、給水の流れが停止しないためボイラ給水が過度に予熱されることはなく、エコノマイザ９内でボイラ給水が沸騰することを防止できる。
【００２７】
ボイラの給水量と蒸発量の比率に基づく給水量の調節は、基本的には給水量を算出するごとに行うが、給水量の変更を行っている時およびその直後の場合には、給水量の調節を行わないタイミングを設定しておく。瞬時給水量は、一定量の給水が行われる毎に発信されるパルス信号の出力間隔から算出するようにしているが、給水量を変更している時およびその直後の場合には正しい給水量を算出できないことがある。そして誤った給水量に基づいて給水制御を行うことになると、正しい給水量の制御を行うことができない。そのため、給水量を正しく検出することのできない時期には上記の給水制御は行わないようにしておく。
【００２８】
図３はパルス信号の出力と瞬時給水量に基づく給水量調節を行うタイミングを説明するものである。図では前半と後半で給水量が異なっており、インバータの周波数を変更したタイミングで給水量は少なくなっている。給水パルスは１Ｌの通水が行われるごとに１回出力するものであり、当初は１秒ごとにパルス出力が行われており、途中で間隔が徐々に広がり、後半は２秒ごとにパルス出力が行われるようになっている。図３ではパルス信号を発信順にＰ１〜Ｐ１０と名付けておく。
【００２９】
図３では時刻Ａの時点からインバータ周波数を低下させる変更を開始しており、時刻Ｂで周波数の変更が終了し、給水ポンプの回転数が低下すると給水量が減少する。パルス信号で言うと、パルス信号のＰ１からＰ５は給水量が多い時期のパルス信号、Ｐ６は周波数変更中のパルス信号、Ｐ７からＰ１０は給水量減少後のパルス信号となる。給水量は、図の後半では当初の半分の給水量になるとしており、給水量が減少すると給水パルスの発信間隔が長くなる。
【００３０】
この場合においては、周波数の変更を開始する時刻Ａから周波数の変更を終了する時刻Ｂまでの間及び、時刻Ｂを含むパルス信号の間隔時間に基づき算出する給水量については、給水量算出を行わない。給水量制御に使用する給水量は、時刻Ｂの後に行われるパルス信号Ｐ７を起点とする間隔時間に基づいて算出する給水量からとする。
【００３１】
給水量変更中の場合、正しい給水量を算出することができないため、正しく給水量制御を行えないということがあった。給水量の変更を終了した以降の給水量に基づいて給水制御を行うものであると、誤った給水量に基づいて給水量の制御を行うことが無くなり、正しい給水量に基づいた給水量制御を行える。
【００３２】
また、給水ポンプを作動していない状態からの作動開始時には、蒸気圧力検出装置で検出している蒸気圧力値に応じた速度で給水ポンプの作動を開始する。ボイラ運転制御装置５には、蒸気圧力値に対応させて給水開始時のインバータ周波数を設定しておく。インバータ周波数の設定は、蒸気圧力値が高い場合には中速、蒸気圧力値が低い場合には低速とし、給水ポンプの回転数は蒸気圧力値が高い場合の方が高くなるようにする。図４は本発明の一実施例での給水開始時蒸気圧力とインバータ周波数の設定例を示している。ここでは、給水開始時点の蒸気圧力値が0.85MPa以上の場合は５０Ｈz、0.75〜0.84MPaの場合は４８Ｈz、0.65〜0.74MPaの場合は４６Ｈz、0.55〜0.64MPaの場合は４４Ｈz、0.54MPa以下の場合は４２Ｈzとしている。
【００３３】
蒸気ボイラでは、蒸気の発生状況によってボイラ内の圧力は大きく変化する。ボイラの運転を開始した直後のボイラが冷えている状態の場合は、ボイラ内に蒸気は発生していないためにボイラ内の圧力は低い状態で給水を行うことになり、ボイラは運転を行っていてボイラ内から蒸気が盛んに発生している状態でボイラ内への給水を開始する場合はボイラ内の圧力は高い状態で給水を行うことになる。ボイラ内の圧力が低い状態の時に給水ポンプの作動を行った場合、ボイラ内への給水量は大きくなるが、ボイラ内の圧力が高くなるほどボイラ内に水が入りにくくなるため、給水量は少なくなる。
【００３４】
先に記載しているように、給水ポンプの回転数は給水量と蒸発量を比較して、より適切となる方向へ調節していくが、給水開始時点の給水ポンプ回転数が適切な値からかけ離れていると、適切な給水ポンプ回転数となるまでに時間がかかり、その間が適切ではない量の給水が行われることになってしまう。給水開始時点では給水量の値は検出できないが、ボイラ内の蒸気圧力値が低い場合には給水量は多くなり、蒸気圧力値が高い場合には給水量は少なくなるものであるため、蒸気圧力値が低い場合には給水ポンプの回転数を低くし、蒸気圧力値が高い場合には給水ポンプの回転数を高くすることで、給水量を適切な値により近い状態で開始することができる。給水開始時の給水量が適切な値に近くなると、その後の給水量調節でより早い段階で適切な給水量とすることができるため、ボイラ内水位をより安定的に制御することができる。
【００３５】
なお、本発明は以上説明した実施例に限定されるものではなく、多くの変形が本発明の技術的思想内で当分野において通常の知識を有する者により可能である。
【符号の説明】
【００３６】
１  ボイラ    
２  給水ポンプ    
３  流量計
４  インバータ装置
５  ボイラ運転制御装置
６  給水配管
７  気水分離器
８  水位検出装置
９  エコノマイザ
１０  蒸気圧力検出装置
【図１】
2018194287.tif 000003
【図２】
2018194287.tif 000004
【図３】
2018194287.tif 000005
【図４】
2018194287.tif 000006